(57)【要約】【課題】縦ひだ絞り紙製容器の保形性を確保し、この容器の重積体から容器を単品分離し易くするとともに、縦ひだ絞り紙製容器の開口縁に簡単確実に施蓋可能となし、容器内食品に触れる紙の切断端縁を容器内のすべての個所から無くして食品衛生上好ましい縦ひだ絞り紙製容器を得ること。【解決手段】ほぼ円形輪郭に沿って連続波形に成形した縦ひだ絞り紙製容器５の開口周辺５Ａを満遍なく広げ起こして容器胴部４の上部周辺に横鍔４Ａと、この横鍔に連接した縦鍔４Ｂとをそれぞれ一体形成し、この縦鍔４Ｂの上部を外向き下方に満遍なく丸め返して前記横鍔４Ａの外側に可及的に接近したカール縁辺４Ｃを形成し、このカール縁辺４Ｃを満遍なく押し潰して外鍔Ｆを形成することで、この外鍔Ｆの剛性により前記容器上部を妄りに変形しない程度に補強した。【選択図】　　　図１
2004099077.tif 000002
【特許請求の範囲】
【請求項１】
用紙１をその中央における容器底部２になる部分の周辺から多数の縦ひだ３と共に折り起こし、容器胴部４を円形に沿った連続波形に絞り形成した縦ひだ絞り紙製容器５において、前記容器５の開口周辺５Ａを満遍なく広げ起して前記容器胴部４の上部周辺に横鍔４Ａと、この横鍔に連接した縦鍔４Ｂとをそれぞれ一体形成し、この縦鍔４Ｂの上部を外向き下方に満遍なく丸め返して前記横鍔４Ａの外側に可及的に接近したカール縁辺４Ｃを形成し、このカール縁辺４Ｃを満遍なく押し潰して外鍔Ｆを形成することで、この外鍔Ｆの剛性により前記容器上部を妄りに変形しない程度に補強してなる縦ひだ絞り紙製容器。
【請求項２】
用紙１をその中央における容器底部２になる部分の周辺から多数の縦ひだ３と共に折り起こし、容器胴部４を円形に沿った連続波形に絞り形成した縦ひだ絞り紙製容器５において、前記容器５の開口周辺５Ａを満遍なく広げ起こして前記容器胴部４の上部周辺に横鍔４Ａと、この横鍔に連接した縦鍔４Ｂとをそれぞれ一体形成し、この縦鍔４Ｂの上部を外向き下方に満遍なく丸め返してその先端をさらに内向き上方に丸め上げることで、前記横鍔４Ａの外側に接近した縦断面渦巻き状のカール縁辺４Ｃを形成し、このカール縁辺４Ｃを満遍なく押し潰して多重の外鍔Ｆを形成することで、この外鍔Ｆの剛性により前記容器上部を妄りに変形しない程度に補強してなる縦ひだ絞り紙製容器。
【請求項３】
前記外鍔Ｆの上面に上蓋４Ｄの周辺下面４ｄを接着した請求項１または請求項２に記載の縦ひだ絞り紙製容器。
【請求項４】
前記外鍔Ｆにおける対向面同士を接着してなる請求項１から請求項３までのいずれか一つの請求項に記載の縦ひだ絞り紙製容器。
【請求項５】
前記用紙１にシリコン樹脂を塗工した用紙１を用いた請求項１から請求項４までのいずれか一つの請求項に記載の縦ひだ絞り紙製容器。
【請求項６】
用紙１をその中央における容器底部２になる部分の周辺から絞り成形により多数の縦ひだ３と共に折り起こして円形に沿った連続波形の容器胴部４となした縦ひだ絞り紙製容器５を作るに当たり、上部に拡径リング６Ａを同軸的に備えた雌型６内に容器５を納置した後、雌型６に対応した雄型７を容器５内に押し込むことで、前記容器５の上部周辺５Ａを雄型７の拡径周辺７Ａにより前記拡径リング６Ａの内周面６Ｂに強く挟み付け、前記多数の縦ひだ３の上部を広げながら前記容器５の上部周辺５Ａを満遍なく広げ起こして前記容器胴部４の上部周辺に横鍔４Ａと、この横鍔に連接した縦鍔４Ｂとをそれぞれ一体形成した容器５を作り、次いで、前記雌型６からその拡径リング６Ａを取り除き、容器横鍔４Ａの下面を前記雌型６の上縁で支持しつつこの雌型６の上面から突出している容器縦鍔４Ｂの上部にカール形成ダイ８のカール形成溝８Ａを押し当てながら縦鍔４Ｂの上部を外向き下方に満遍なく丸め込むことで、前記横鍔４Ａの外側に可及的に接近したカール縁辺４Ｃを容器上部に形成した後、このカール縁辺４Ｃを潰し工具で満遍なく押し潰すことで外鍔Ｆを形成し、この外鍔Ｆの剛性により前記容器上部を妄りに変形しない程度に補強することを特徴とした縦ひだ絞り紙製容器の製造方法。
【請求項７】
前記雌型６の上面から突出している容器縦鍔４Ｂの上部にカール形成ダイ８のカール形成溝８Ａを押し当てながら縦鍔４Ｂの上部を外向き下方に満遍なく丸め込み、さらに、その先端を内向き上方に丸め上げることで、前記横鍔４Ａの外側に接近した縦断面渦巻き状のカール縁辺４Ｃを容器上部に形成し、このカール縁辺４Ｃを満遍なく押し潰すことで外向きの外鍔Ｆを形成し、この外鍔Ｆの剛性により前記容器上部を補強することを特徴とした請求項６に記載の縦ひだ絞り紙製容器の製造方法。
【請求項８】
前記雌型６の上面から突出している容器縦鍔４Ｂの上部にカール形成ダイ８を回転させながらそのカール形成溝８Ａを押し当て、縦鍔４Ｂの上部を外向き下方に満遍なく丸め込むことで、前記横鍔４Ａの外側に可及的に接近したカール縁辺４Ｃを容器上部に形成し、このカール縁辺４Ｃを満遍なく押し潰すことで外向きの外鍔Ｆを形成し、この外鍔Ｆの剛性により前記容器上部を妄りに変形しない程度に補強することを特徴とした請求項６または請求項７に記載の縦ひだ絞り紙製容器の製造方法。
【請求項９】
前記雌型６を回転させながらその上面から突出している容器縦鍔４Ｂの上部にカール形成ダイ８のカール形成溝８Ａを押し当て、縦鍔４Ｂの上部を外向き下方に満遍なく丸め込むことで、前記横鍔４Ａの外側に可及的に接近したカール縁辺４Ｃを容器上部に形成し、このカール縁辺４Ｃを満遍なく押し潰すことで外向きの外鍔Ｆを形成し、この外鍔Ｆの剛性により前記容器上部を妄りに変形しない程度に補強することを特徴とした請求項６または請求項７に記載の縦ひだ絞り紙製容器の製造方法。
【発明の詳細な説明】
【０００１】
【発明の属する技術分野】
本発明は、保形性を強化した縦ひだ絞り紙製容器に係り、特に容器内に焼き菓子や蒸し菓子などの菓子生地を入れて加熱加工した後、そのまま流通経路に乗せて販売できる加熱加工食品用容器や調理用容器などに用いた際、縦ひだ絞り紙製容器が妄りに変形しないように補強するとともに、容器内食品に触れる紙の切断端縁を容器内のすべての個所から無くし、かつ、施蓋もできる食品衛生上好ましい縦ひだ絞り紙製容器とその製造方法に関する。
【０００２】
【従来の技術】
容器の上部にフランジ（鍔）を形成したものとしては従来、実開昭５５−９３６８８号公報記載のもののように、熱可塑性プラスチックを縦断面円形に沿った連続波形に成形した縦ひだ付きの容器が有るが、このプラスチック成形容器に焼き菓子や蒸し菓子などの菓子生地を入れて加熱加工すると、容器の加熱に伴う変形が著しく使用不可能であるし、不要になつた容器のゴミ処理上の問題も有るため、この種の加熱加工食品用容器としては、元来、加熱に強くゴミ処理問題も無い紙やアルミホイールを絞り加工した縦ひだ絞り成形容器を用いている。
この縦ひだ絞り紙製容器としては、従来、例えば実公平７−６７８２号公報記載のもののように、保形フイルムをラミネート被着した複合用紙をその中央における底部の周辺から多数の縦ひだと共に折り起こして容器胴部となしたパン焼き皿状の縦ひだ絞り紙製容器や、実開昭６４−４５９７９号公報記載の横鍔付きのアルミホイールやセロファンで作った縦ひだ絞り加工容器が周知である。
【０００３】
【発明が解決しようとする課題】
前記従来例による各容器は、その開口縁や横鍔にも満遍なく多数の縦ひだが形成してあるので、若干の剛性を付与した容器であるからといっても、これらの容器の開口縁や横鍔は多数の縦ひだの蛇腹作用のため僅かな外力でもアコーデオンや提灯のように横向きまたは斜め下向きにフワフワと大きく動いてしまい極めて不安定で、依然として容器上部の保形性が著しく悪いという本質的、かつ、大きな問題点が有る。
なお、前記実開昭６４−４５９７９号公報記載のような縦ひだ絞り加工容器は、アルミホイール（アルミ箔）で作ると電磁波を反射してしまうため、容器内食品の電子レンジでの再加熱が不可能であるし、アルミ箔やセロファンで作った縦ひだ絞り加工容器は、紙製の縦ひだ絞り加工容器よりもその価格が二倍から三倍程度と高くなり不経済であり、また、安価な普通紙から美しい横鍔付きの縦ひだ絞り加工容器を作ることは至難の技で、たといセロファンや普通紙から無理に横鍔付きの縦ひだ絞り加工容器を作ってみた処で、周辺湿度や温度変化、その他経時変化による横鍔復元作用で、折角の横鍔がその折り目部分から上向きに自立し易く、肝心の横鍔による容器の保形効果も著しく悪くなってしまうし、全体的に歪み易く不安定で著しい姿形不良となって使い物にならなくなり易いという本質的、かつ、大きな問題点が有り、横鍔付きの縦ひだ絞り加工容器としては、アルミホイール製以外のものを実用化した例はない。
【０００４】
さらに、前記各従来例は、それぞれ容器の開口縁や横鍔に上蓋を被せても不安定で係止できず、外れ易いため施蓋実用不可能で不衛生でもあるし、使い勝手が前記のように極めて不良であるという大きな問題点が有るほかに、これらの従来例は、多数の容器を重積したものからユーザが容器を一個ずつ単品分離して使用する際に、上記容器重積体の保管や搬送により多数の縦ひだ同士が互いにきつく食いつき密着した結果となっているので、この容器重積体から容器を単品分離することは極めて困難で、菓子製造現場における容器の単品分離使用に当たり極めて非能率で不便であるという大きな問題点も有る。
【０００５】
また、特に前記実公平７−６７８２号公報記載の従来例は、容器上縁に容器内食品に触れる紙の切断端縁が有り、この切断端縁の紙質から栄養に富む容器内食品からの水分が毛細管作用で滲み込んでしまうため雑菌や細菌の温床となり、食品衛生上有害な菌が増殖し易いので、不衛生であるという問題点も有る。
この発明は、上記各従来例における多くの問題点を除去するために、縦ひだ絞り紙製容器の保形性を確保し、この容器の重積体から容器を一個ずつ単品分離し易くするとともに、縦ひだ絞り紙製容器の開口縁に簡単確実に施蓋できかつ、容器内食品に触れる紙の切断端縁を容器内のすべての個所から無くした食品衛生上好ましい縦ひだ絞り紙製容器を得ることを目的とする。
【０００６】
【課題を解決するための手段】
上記した本発明の目的は、用紙をその中央における容器底部になる部分の周辺から多数の縦ひだと共に折り起こし、容器胴部を円形に沿った連続波形に絞り形成した縦ひだ絞り紙製容器を作るに当たり、前記容器の開口周辺を満遍なく広げ起こして前記容器胴部の上部周辺に横鍔と、この横鍔に連接した縦鍔とをそれぞれ一体形成し、この縦鍔の上部を外向き下方に満遍なく丸め返して前記横鍔の外側に可及的に接近したカール縁辺を容器上部に形成し、このカール縁辺を押し潰すことで外向きの外鍔を形成し、この外鍔の剛性により前記容器上部を妄りに変形しない程度に補強したことで達成できた。
【０００７】
【発明の実施の形態】
本発明の実施の形態のうち、先ず、本発明の基本的な形態例を説明する。
本発明の基本的な形態は、図１のように、縦ひだ絞り紙製容器５を作るための薄葉紙や中厚紙等の用紙１をその中央における平面輪郭が円形または非円形の容器底部２になる部分の周辺から多数の縦ひだ３と共に折り起こして容器胴部４となした縦ひだ絞り紙製容器５を作るに当たり、本発明では先ず、周知の縦ひだ絞り成形手段により得た上記縦ひだ絞り紙製容器５の上部に満遍なく縦横の各鍔を成形する過程として、後述する手段により、前記容器５の開口周辺５Ａを満遍なく広げ起こして前記容器胴部４の上部周辺に横鍔４Ａと、この横鍔に連接した縦鍔４Ｂとをそれぞれ図４のように一体形成する。
【０００８】
次いで、前記縦鍔４Ｂの上部をさらに図７のように外向き下方に満遍なく丸め返して前記横鍔４Ａの外側に可及的に接近したカール縁辺４Ｃを形成し、このカール縁辺４Ｃを図１および、その要部拡大図のように満遍なく上下方向に押し潰した外鍔Ｆを形成することで、この外鍔Ｆの剛性により前記容器上部を妄りに変形しない程度に補強した同図１および、その要部拡大図のような本発明による縦ひだ絞り紙製容器を構成することができた。
ただし、前記図４では、横鍔４Ａと、この横鍔に連接した縦鍔４Ｂとをそれぞれ便宜上白く無地に表現してあるが、実際には、これら各鍔４Ａ，４Ｂには前記容器胴部４の上部における多数の縦ひだ３による若干の潰しシワが生じる。
【０００９】
前記容器胴部４の上部に横鍔４Ａと、この横鍔に連接した縦鍔４Ｂとを図４のように一体形成するに当たっては、周知の縦ひだ絞り紙製容器の上部に手作業で丁寧に上記各鍔を一体形成してもよいが、図１のような本発明品を多量製造するには、図２のように縦ひだ付き内周面を有するリング状または有底の雌型６の上部に拡径リング６Ａを着脱可能かつ、同軸的に備えるとともに、この雌型６内に縦横各鍔の無い縦ひだ絞り原形容器５Ｂをその縦ひだを合致させて同図２のように納置した後、雌型６に対応した縦ひだ付きの雄型７を上記雌型６内にある原形容器５Ｂ内に図３のように押し込むことで、この容器の上部周辺５Ａの肉厚を雄型７の拡径周辺７Ａにより前記拡径リング６Ａの内周面６Ｂに強く挟み付けて薄肉化すると共に、前記多数の容器縦ひだ３の上部を広げながら前記容器の上部周辺５Ａを満遍なく広げ起こして前記容器胴部４の上部周辺に上記薄肉化した横鍔４Ａと、この横鍔に連接した同じく薄肉化済縦鍔４Ｂとをそれぞれ満遍なく一体形成した縦ひだ絞り紙製容器５を図３、図４のように一体形成できた。
【００１０】
その後、本発明の主眼である縦ひだ絞り紙製容器のカール縁辺４Ｃとこれを潰した外鍔Ｆとの成形過程として、先ず、前記雌型６からその拡径リング６Ａを図５のように取り除き、容器横鍔４Ａの下面を同図５のように前記雌型６の上縁で支持しつつ、この雌型６の上面から突出している容器縦鍔４Ｂの上部に、同図６における中心線Ｌを中心として回転する周知のカール形成ダイ８のカール形成溝８Ａを押し当てながら、前記薄肉化済縦鍔４Ｂの上部を外向き下方に図６のように満遍なく丸め込むことで、前記横鍔４Ａの外側に接近した縦断面渦巻き状または、ほぼ半円形のカール縁辺４Ｃを容器上部に図７およびその要部拡大図のように形成することができ、このカール縁辺４Ｃをさらに図８のようなプレス式やローラ式の押し潰し工具９で満遍なく強引に押し潰して図９のような薄肉化した三重の外鍔Ｆまたは、図１における要部拡大図のような薄肉化した二重の外鍔Ｆを形成することで、この外鍔Ｆの剛性により前記容器上部を妄りに変形しない程度に補強した同図１のような本発明による縦ひだ絞り紙製容器５を構成することができた。
ただし、上記図５、図６および図８、図９の各図では、縦ひだ絞り紙製容器５の縦ひだと、雌型８の縦ひだとの表記をそれぞれ便宜上省略してある。
【００１１】
このようにして作った本発明による各縦ひだ絞り紙製容器５は、いずれもこの容器自体の保形性、特にその開口縁の保形性を上記外鍔Ｆでシッカリ確保でき、その多数を図１０のように重積して運搬、保管しても、この重積体から容器単品を上記外鍔Ｆに手指を掛けて一個ずつ容易に分離でき、また前記外鍔Ｆに図１の鎖線で示すように上蓋４Ｄの周辺下面４ｄを接着することで、容器５に上蓋４Ｄを簡単確実に施蓋でき、しかも用紙１の切断端縁は、図１のように容器の外部における前記外鍔Ｆで畳み込んであるから、容器内食品に触れる紙の切断端縁が容器内の何処にも無く、この食品からの水分の滲み込み場所が容器５に無くなったので、有害な菌の増殖も無い衛生的な縦ひだ絞り紙製容器となった。
【００１２】
【実施例】
前記実施形態ではカール形成ダイをその中心線Ｌを中心として回転させながら縦ひだ絞り紙製容器の上部にカール縁辺４Ｃと外鍔Ｆとを形成する例を示したが、カール形成ダイは回転させなくても上記カール縁辺４Ｃと外鍔Ｆとを形成することができ、また、前記雌型６を回転つつ容器横鍔４Ａの下面を雌型６の上縁で支持しつつこの雌型の上面から突出している容器縦鍔４Ｂの上部にカール形成ダイのカール形成溝を押し当てることで、縦鍔４Ｂの上部を満遍なく丸め込んだ後、カール縁辺４Ｃを潰して外鍔Ｆを形成することもできた。
また、前記外鍔Ｆにおける対向面同士を予めコートした加熱接着性プラスチック層でヒートシール接着したり、上記対向面同士を糊料で接着することで、外鍔Ｆ自体の保形性および容器５全体の保形性をより一層強化することができた。
【００１３】
さらに、前記用紙１として、普通の薄葉紙や中厚紙または、普通紙にポリエチレンテレフタレート（ＰＥＴ）フイルムのような加熱軟化性保形フイルムをドライラミネーションやポリエチレンなどの加熱接着性プラスチックを糊料媒体として紙面に周知のエキストリュージョンラミネート被着法で被着し強化した耐油性の複合用紙１を用いてもよいが、この場合には、前記容器胴部４の上部周辺を１５０°Ｃ程度に加熱し、前記保形フイルムを軟化させながら横鍔４Ａと、この鍔４Ａに連接した縦鍔４Ｂとをそれぞれ一体形成した容器５を作った後、同じく前記容器胴部４の上部周辺を加熱し、保形フイルムを軟化しながら前記カール縁辺４Ｃを形成した後、このカール縁辺４Ｃを満遍なく押し潰すことで外向きの外鍔Ｆを形成した後、この外鍔Ｆを冷却固化することで、縦ひだ絞り紙製容器全体としての保形性を前記熱軟化性保形フイルムの冷却固化後の強い剛性により、さらに一層確実に強化することができ、また、上記保形フイルムの面または紙面にシリコン樹脂層を塗工してもよく、さらに、上記加熱接着性プラスチックによる糊料媒体の代りに熱硬化性糊料を用いてもよい。
【００１４】
さらに、前記保形フイルムの面に予めコロナ照射を施したり、強酸や強アルカリ溶液内に浸漬するなどして保形フイルムの面を活性化し、この活性化面にシリコン樹脂層を被着すれば、フイルム面に対するシリコン樹脂層の食いつきがよくなり、少量のシリコン樹脂でもその被着強度を増すことができ、前記保形フイルムを溶融ポリエチレン等の加熱接着性プラスチックを糊料媒体として用紙１にラミネート被着すれば、良質で長尺の用紙１を安価に得ることができ、結局、良質で安価な縦ひだ絞り紙製容器を多量製造することができた。
また、前記用紙１の面にポリエチレン等の防湿性プラスチックを加熱溶融コーティングしたりラミネートした防湿複合用紙を用いれば、容器全体として防湿性に優れた縦ひだ絞り紙製容器を安価に多量製造することができる。
【００１５】
【発明の効果】
本発明は、以上のような形態を採用したので、以下に記載の効果を奏する。
この発明における請求項１および請求項３の各発明によれば、用紙１をその中央における容器底部２になる部分の周辺から多数の縦ひだ３と共に折り起こし、容器胴部４を円形に沿った連続波形に絞り形成した縦ひだ絞り紙製容器５において、前記容器５の開口周辺５Ａを満遍なく広げ起こして前記容器胴部４の上部周辺に横鍔４Ａと、この横鍔に連接した縦鍔４Ｂとをそれぞれ一体形成し、この縦鍔４Ｂの上部を外向き下方に満遍なく丸め返して容器上部にカール縁辺４Ｃを形成し、このカール縁辺４Ｃを満遍なく押し潰して外鍔Ｆを形成することで、この外鍔Ｆの剛性により前記容器上部を妄りに変形しない程度に補強できた。
【００１６】
したがって、本発明における前記請求項１および請求項３の各発明によれば、縦ひだ絞り紙製容器自体の保形性、特にその開口縁の保形性を上記外鍔Ｆの強いツッバリ作用でシッカリ補強して確保でき、また、多数の容器の重積体から容器単品を上記外鍔Ｆに手指を掛けて一個ずつ容易に分離できるとともに、前記外鍔Ｆに上蓋４Ｄの周辺下面４ｄを接着して容器５に上蓋４Ｄを簡単確実に施蓋できたし、用紙１の切断端縁は、容器の外部における前記外鍔Ｆで畳み込んであるから、容器内食品に触れる紙の切断端縁が容器内の何処にも無く、この食品からの水分の滲み込み場所が容器５に無くなったので、有害な菌の増殖も無い衛生的な縦ひだ絞り紙製容器を得ることができたという優れた効果が有る。
【００１７】
本発明における請求項２の発明によれば、前記した諸効果に加えて、前記縦鍔４Ｂの上部を外向き下方に満遍なく丸め返してさらに、その先端を内向き上方に丸め上げることで、前記横鍔４Ａの外側に接近した縦断面渦巻き状のカール縁辺４Ｃを形成し、このカール縁辺４Ｃを満遍なく押し潰して多重の外鍔Ｆを形成することで、この多重外鍔Ｆの一層強い剛性により前記容器上部をさらにシッカリ強固に補強することができた。
【００１８】
本発明における請求項４の発明によれば、前記した諸効果に加え、前記外鍔Ｆにおける対向面同士を接着することで、外鍔Ｆ自体の保形性および容器５全体の保形性をより一層強化できたという効果を付加できた。
【００１９】
この発明における請求項５の発明のように、前記用紙１の面にシリコン樹脂層を塗工した用紙１を用い、この用紙１から多数の縦ひだ３と前記外鍔Ｆとを一体形成した縦ひだ絞り紙製容器では、前記諸効果に加えて、シリコン樹脂の大きな表面滑性により容器を絞り成形し易くなったし、容器重積体から紙製容器単品をさらに一層分離し易くなったという効果を付加できた。
【００２０】
本発明における請求項６の発明によれば、用紙１をその中央における容器底部２になる部分の周辺から絞り成形により多数の縦ひだ３と共に折り起こして円形に沿った連続波形の容器胴部４となした縦ひだ絞り紙製容器５を作るに当たり、上部に拡径リング６Ａを同軸的に備えた雌型６内に容器５を納置した後、雌型６に対応した雄型７を容器５内に押し込むことで、前記容器５の上部周辺５Ａを雄型７の拡径周辺７Ａにより前記拡径リング６Ａの内周面６Ｂに強く挟み付け、前記多数の縦ひだ３の上部を広げながら前記容器５の上部周辺５Ａを満遍なく広げ起こして前記容器胴部４の上部周辺に横鍔４Ａと、この横鍔に連接した縦鍔４Ｂとをそれぞれ一体形成した容器５を作り、次いで、前記雌型６からその拡径リング６Ａを取り除き、容器横鍔４Ａの下面を前記雌型６の上縁で支持しつつこの雌型６の上面から突出している容器縦鍔４Ｂの上部にカール形成ダイのカール形成溝８Ａを押し当てながら縦鍔４Ｂの上部を外向き下方に満遍なく丸め込むことで、前記横鍔４Ａの外側に可及的に接近したカール縁辺４Ｃと、これを満遍なく潰した外鍔Ｆとを容器上部に形成することができたので、肉厚が薄い紙製容器でも前記多くの絞り成形時に用紙１が破けることがなく、容器開口縁の保形性に優れ、かつ、多数の容器の重積体からの容器単品分離が容易で、しかも、容器開口縁に簡単確実に施蓋でき、かつ、容器の上部で用紙１の切断端縁が外向きの衛生的な縦ひだ絞り紙製容器を安価に多量製造できるという工業的な効果が有る。
【００２１】
本発明における請求項７の発明によれば、前記請求項６の発明における前記諸効果に加えて、前記容器縦鍔４Ｂの上部にカール形成ダイのカール形成溝８Ａを押し当てながら縦鍔４Ｂの上部を外向き下方に満遍なく丸め込み、さらに、その先端を内向き上方に丸め上げることで、前記横鍔４Ａの外側に接近した縦断面渦巻き状で強い剛性のカール縁辺４Ｃと、これを満遍なく潰した外鍔Ｆとを容器上部に形成することができたので、この外鍔Ｆの強い剛性により前記容器上部を変形しないようにさらに補強することができ、保形性に富む縦ひだ絞り紙製容器を安価に多量製造できるという工業的な効果が有る。
【００２２】
本発明における請求項８および請求項９の各発明によれば、前記請求項６の発明における前記諸効果に加えて、前記雌型６の上面から突出している容器縦鍔４Ｂの上部にカール形成ダイ８を回転させながらそのカール形成溝８Ａを押し当て、または、雌型６を回転させながら上記カール形成溝８Ａを容器縦鍔４Ｂに押し当てることで極めて容易かつ、美しくカール縁辺４Ｃと、これを満遍なく潰した外鍔Ｆとを容器上部に形成できるという工業的な効果を付加できた。
【図面の簡単な説明】
【図１】本発明による縦ひだ絞り紙製容器の一例を示す縦断立面図と要部拡大図
【図２】本発明における縦横鍔成形過程の一例を示す縦断立面図
【図３】図２に示すものと状態を異にした縦断立面図
【図４】本発明における縦ひだ絞り紙製容器に縦横鍔成形した例を示す斜視図
【図５】本発明におけるカール縁辺成形過程の一例を示す縦断立面略図
【図６】本発明におけるカール縁辺成形過程の最終例を示す縦断立面略図
【図７】本発明によるカール縁辺成形済紙製容器の例を示す縦断立面図と要部拡大図
【図８】本発明におけるカール縁辺潰し成形過程の途中を示す縦断立面略図
【図９】本発明におけるカール縁辺潰し過程の最終例を示す縦断立面略図
【図１０】本発明による縦ひだ絞り紙製容器の重積体の一例を示す縦断立面図
【符号の説明】
１　　容器を作るための用紙（複合用紙）
２　　容器底部
３　　容器縦ひだ
４　　容器胴部
４Ａ　横鍔
４Ｂ　縦鍔
４Ｃ　容器上部に形成したカール縁辺
Ｆ　　カール縁辺を潰した外鍔
４Ｄ　上蓋
４ｄ　上蓋の周辺下面
５　　縦ひだ絞り紙製容器
５Ａ　容器の上部周辺
５Ｂ　縦ひだ絞り原形容器
６，　雌型（回転雌型）
６Ａ　雌型６の拡径周辺部
６Ｂ　雌型６の拡径周辺部内周面
７，　雄型
７Ａ，雄型７の拡径周辺
８　　カール形成ダイ
８Ａ　カール形成溝
【図１】
2004099077.tif 000003
【図２】
2004099077.tif 000004
【図３】
2004099077.tif 000005
【図４】
2004099077.tif 000006
【図５】
2004099077.tif 000007
【図６】
2004099077.tif 000008
【図７】
2004099077.tif 000009
【図８】
2004099077.tif 000010
【図９】
2004099077.tif 000011
【図１０】
2004099077.tif 000012